(57)【要約】【課題】鞄等の蓋体側に固着された係止片が本体側に固着された金属板を損傷させることのない鞄等の止め金具を提供すること。【解決手段】鞄等の蓋体側に固着される係止片と、鞄等の本体側に固着され、前記係止片を着脱可能に受け止めるラッチ機構とから構成される鞄等の止め金具であって、前記係止片の一部に傷防止部材を被着したので、蓋体の開閉に際してラッチ機構側に配設された金属板を損傷する虞がなく、何時までも綺麗に保つことができる。【選択図】  図１
2004236903.tif 000002
【特許請求の範囲】
【請求項１】
鞄等の蓋体側に固着される係止片と、
鞄等の本体側に固着され、前記係止片を着脱可能に受け止めるラッチ機構とから構成される鞄等の止め金具であって、
前記係止片の一部に傷防止部材を被着したことを特徴とする鞄等の止め金具。
【請求項２】
前記係止片は、前記ラッチ機構のラッチ部材を受け入れる係止環を有することを特徴とする請求項１に記載の鞄等の止め金具。
【請求項３】
前記傷防止部材は、少なくとも係止片の一部に合成樹脂をコーティングしたものであることを特徴とする請求項１または２に記載の鞄等の止め金具。
【請求項４】
前記傷防止部材は、係止片の一部に合成樹脂を接着したものであることを特徴とする請求項１または２に記載の鞄等の止め金具。
【請求項５】
前記傷防止部材は、係止片の一部に合成樹脂を嵌合したものであることを特徴とする請求項１または２に記載の鞄等の止め金具。
【請求項６】
前記傷防止部材は、接合部材により係止片と合成樹脂片を固着したものであることを特徴とする請求項１または２に記載の鞄等の止め金具。
【発明の詳細な説明】
【０００１】
【発明の属する技術分野】
本発明は、鞄、バッグ等の止め金具に関し、特に開閉に際してラッチ機構や本体側に蓋側の係止片が衝突して傷や凹みが出来るのを防止する鞄等の止め金具に関する。
【０００２】
【従来の技術】
従来、婦人用ハンドバッグの金具表面をチタン（Ｔｉ）の窒化物や炭化物等で被膜成型するものが提案されている（例えば、特許文献１）。これは、それぞれの機能に応じた形状に成型した金属具に物理的蒸着法によってチタンを蒸着して、耐食性、耐摩耗性に優れた金具を得るものである。
【０００３】
【特許文献１】
登録実用新案第３０３８６１６号公報
【０００４】
【発明が解決しようとする課題】
しかし、コーティング層が薄いために母材として使用する金属の硬度が低いと、容易に傷付くと共に、剥離してしまう欠点が存在した。また、金具表面全体にチタンをイオンプレーティングする為に、製造コストが嵩むという欠点も存在した。更に、発現できる製品の色も限られたものであった。
本発明は、前記実情に鑑み提案されたもので、係止片の一部に傷防止部材を被着し、蓋体の開閉時に優れた耐傷性を示す鞄等の止め金具を提供することを目的とする。
【０００５】
【課題を解決するための手段】
前記目的を達成するために、請求項１に記載の発明は、鞄等の蓋体側に固着される係止片と、鞄等の本体側に固着され、前記係止片を着脱可能に受け止めるラッチ機構とから構成される鞄等の止め金具であって、前記係止片の一部に傷防止部材を被着したことを特徴としている。
【０００６】
また、請求項２に記載の発明において、前記係止片は、前記ラッチ機構のラッチ部材を受け入れる係止環を有することを特徴としている。
【０００７】
また、請求項３に記載の発明において、前記傷防止部材は、少なくとも係止片の一部に合成樹脂をコーティングしたものであることを特徴とするものである。
【０００８】
また、請求項４に記載の発明において、前記傷防止部材は、係止片の一部に合成樹脂を接着したものであることを特徴とするものである。
【０００９】
また、請求項５に記載の発明において、前記傷防止部材は、係止片の一部に合成樹脂を嵌合したものであることを特徴とするものである。
【００１０】
また、請求項６に記載の発明において、前記傷防止部材は、接合部材により係止片と合成樹脂片を固着したものであることを特徴とするものである。
【００１１】
【発明の実施の形態】
以下、添付図面に従って本発明の一実施の形態を詳細に説明する。図１は、本発明に係る鞄等の止め金具の一実施の形態を示す要部斜視図、図２は、本発明の鞄等の止め金具の要部側面図である。ここで、鞄等の止め金具１０は、鞄等の蓋体側１１に固着される係止片１２と、鞄等の本体側１３に固着され、前記係止片１２を着脱可能に受け止めるラッチ機構１４とから構成される鞄等の止め金具であって、前記係止片１２の一部に傷防止部材１５を被着している。
【００１２】
本実施の形態において、係止片１２は蓋体側１１の端面にビス１６により固定された取付け部材１７にほぼ直角で且つ本体側１３方向に向いて固着されている。また、本実施の形態では係止片１２が、前記ラッチ機構１４のラッチ部材１９を受け入れる係止環１８を有している。なお、係止環１８を有さない形式の係止片であってもよい。ラッチ部材１９は、図外のバネ機構によって前記係止片１２を受け入れる凹部２１内へ突出するようにバネ付勢されると共に、摘み２０を操作することによりバネ力に抗して、後退可能に構成されている。
【００１３】
傷防止部材１５は、例えば、図３に示すように係止片１２の表面に合成樹脂を所定の厚さにコーティングする。コーティング面は、ラッチ機構１４に当接する面１５ａとそれに連続する面１５ｂ及び両側面１５ｃである。使用する合成樹脂としては、例えばポリエチレン、ナイロン、ケン化ＥＶＡ、エポキシ、ポリエステル、フッ素樹脂、ＰＴＦＥ、ＦＥＰ、ＰＦＡ等を好適に使用することができる。
【００１４】
以上のように構成した場合、係止片１２のラッチ機構１４と当接する面に合成樹脂がコーティングされるので、金属表面２８を傷付けることがなく、いつまでもきれいに保つことができる。
【００１５】
図４は、本発明の鞄等の止め金具に使用される係止片の第２の実施の形態を示す斜視図である。本実施の形態において、傷防止部材１５は、係止片１２の一部でラッチ機構１４に対向した面に合成樹脂２２を接着している。合成樹脂は、前述したものと同様のものを使用することができる。
【００１６】
このように構成した場合、係止片１２のラッチ機構１４と当たる面が合成樹脂２２で形成されているので、金属表面２８を引っ掻いたり、傷付ける虞がなく、何時までも綺麗に保ことができる。
【００１７】
図５は、同鞄等の止め金具に使用される係止片の第３の実施の形態を示す斜視図である。本実施の形態において、係止片１２の一部に蟻溝２４を設け、この蟻溝に対応した突起２５を有する合成樹脂２６を嵌合して構成したものである。
【００１８】
このように構成した場合、蟻溝２４により係止片１２へ合成樹脂２６をより確実に固定することができる。したがって、合成樹脂の脱落を未然に防止することができる。
【００１９】
図６は、同鞄等の止め金具に使用される係止片の第４の実施の形態を示す正面図である。本実施の形態において、傷防止部材１５を係止片１２の一部に合成樹脂製ビス２７を嵌合して構成したのである。本実施例では、２本のビスを嵌合したが、これに限ることなく１本または複数本のビスを嵌合してもよい。
【００２０】
このように構成した場合、簡易な構造で金属同士の衝突を防止し、両者が傷つくのを防止することができる。
【００２１】
図７は、本発明の鞄等の止め金具に使用される係止片の第５の実施の形態を示す縦断面図である。本実施の形態において、傷防止部材１５は、係止片１２の一部に立設した固定ピン２３により合成樹脂２２を固着している。ここで使用する合成樹脂は、前述したものと同様のものを使用することができる。
【００２２】
このように構成した場合、合成樹脂２２を固定ピン２３で固定しているので、より確実に合成樹脂を固定することができる。したがって、合成樹脂の衝撃による脱落を防止できる。
【００２３】
なお、本発明は、以上の実施例に限定されることなく、本発明の技術範囲にしたがって種々の設計変更をすることができる。
【００２４】
【発明の効果】
この発明は前記した構成からなるので、以下に説明するような効果を奏することができる。
【００２５】
以上述べたように、本発明によれば、鞄等の蓋体側に固着される係止片と、鞄等の本体側に固着され、前記係止片を着脱可能に受け止めるラッチ機構とから構成される鞄等の止め金具であって、前記係止片の一部に傷防止部材を被着したので、鞄、バッグ等の蓋の開閉に際して係止片の当接する金属表面が傷付いたり、凹んだりすることがない。したがって、鞄、バッグ等の金属面を何時までも綺麗に保つことができる。
【００２６】
また、本発明に係る鞄等の止め金具の係止片は、ラッチ機構のラッチ部材を受け入れる係止環を有するので、係止片に突起部を設ける必要がなく、金属表面を傷付ける可能性が少ない。更に、傷防止部材は、係止片に合成樹脂をコーティング或いは合成樹脂を接着、嵌合したので金属同士が互いに当接することがなく、ラッチ機構の金属面を傷付けることがない。
【図面の簡単な説明】
【図１】図１は、本発明に係る鞄等の止め金具の一実施の形態を示す要部斜視図である。
【図２】図２は、同鞄等の止め金具の要部側面図である。
【図３】図３は、同鞄等の止め金具に使用される係止片の第１の実施の形態を示す斜視図である。
【図４】図４は、同鞄等の止め金具に使用される係止片の第２の実施の形態を示す斜視図である。
【図５】図５は、同鞄等の止め金具に使用される係止片の第３の実施の形態を示す斜視図である。
【図６】図６は、同鞄等の止め金具に使用される係止片の第４の実施の形態を示す正面図である。
【図７】図７は、同鞄等の止め金具に使用される係止片の第５の実施の形態を示す縦断面図である。
【符号の説明】
１０      鞄等の止め金具
１１      蓋体側
１２      係止片
１３      本体側
１４      ラッチ機構
１５      傷防止部材
１６      ビス
１７      取付け部材
１８      係止環
１９      ラッチ部材
２０      摘み
２１      凹部
２２      合成樹脂
２３      固定ピン
２４      蟻溝
２５      突起
２６      合成樹脂
２７      合成樹脂製ビス
２８      金属表面
【図１】
2004236903.tif 000003
【図２】
2004236903.tif 000004
【図３】
2004236903.tif 000005
【図４】
2004236903.tif 000006
【図５】
2004236903.tif 000007
【図６】
2004236903.tif 000008
【図７】
2004236903.tif 000009